(57)【要約】【課題】本体部から容器部を取り外す際にカップ台に対するカップ本体の螺合の緩みにより被調理物が漏れ出ることを防止できるミキサーを提供する。【解決手段】ミキサー１は、本体部１０と、本体部１０に螺着され被調理物を収容可能な容器部２０と、が備えられ、容器部２０が、カップ本体２１と、螺着により底部開口２１ｃを封止可能なカップ台２２と、を有し、本体部１０に対する容器部２０の螺合解除向きとカップ台２２に対するカップ本体２１の螺合解除向きとが同じ向きになるように構成され、容器部２０を本体部１０に螺着した状態で、カップ本体２１とカップ台２２とが相対回転しないように規制する規制部３０が備えられ、規制部３０に、カップ本体２１の底部２１ｂに形成された切欠部２８と、切欠部２８に対して進退可能に構成されたロック部材３１と、切欠部２８に対してロック部材３１を進退させるスイッチ機構４０とを設けた。【選択図】図６
2020174916.tif 000002
【特許請求の範囲】
【請求項１】
動力源が収容される本体部と、
前記本体部に螺着され、被調理物を収容可能な容器部と、が備えられ、
前記容器部が、
底部開口を有する筒状のカップ本体と、前記動力源の動力により回転軸周りに回転駆動されるカッター刃が設けられると共に螺着により前記底部開口を封止可能なカップ台と、を有し、
前記本体部に対する前記容器部の螺合解除向きと前記カップ台に対する前記カップ本体の螺合解除向きとが同じ向きになるように構成され、
前記容器部を前記本体部に螺着した状態で、前記カップ本体と前記カップ台とが相対回転しないように規制する規制部が備えられ、
前記規制部に、
前記カップ本体の底部に形成された切欠部と、
前記切欠部に対して進退可能に構成されたロック部材と、
前記切欠部に対して前記ロック部材を進退させるスイッチ機構と、が設けられているミキサー。
【請求項２】
前記スイッチ機構に、
前記ロック部材を前記切欠部へ進入させる側へ常時付勢する付勢部が設けられている、請求項１に記載のミキサー。
【請求項３】
前記スイッチ機構に、
前記ロック部材を前記切欠部に進入させる位置である規制位置と、前記ロック部材を前記切欠部から退避させる位置である解除位置と、との間で変位可能であり、前記ロック部材に当接する変位部材が設けられ、
前記変位部材に、
前記カップ台より外部へ突出された押圧部が備えられ、
前記押圧部が前記カップ台より外側に突出された状態において、前記変位部材が前記規制位置に配置される、請求項１または請求項２に記載のミキサー。
【請求項４】
前記押圧部が前記カップ台の内側向きに押し込まれた状態において、前記変位部材が前記解除位置に配置される、請求項３に記載のミキサー。
【請求項５】
前記本体部に、
前記変位部材を係止する係止部が備えられ、
前記変位部材に、
前記係止部により係止される被係止部を備えられ、
前記本体部に前記容器部が螺合されたときに、前記係止部により前記被係止部が係止される、請求項３または請求項４に記載のミキサー。
【請求項６】
前記変位部材に、
前記ロック部材と当接する部位に形成されたカム部が備えられ、
前記変位部材の変位に従って、前記ロック部材が前記カム部に沿って変位される、請求項２〜請求項５の何れか一項に記載のミキサー。
【請求項７】
前記カム部に、
前記ロック部材と点接触あるいは線接触される突起部が設けられている、請求項６に記載のミキサー。
【発明の詳細な説明】
【技術分野】
【０００１】
本発明は、動力源が収容される本体部と、本体部に螺着され、被調理物を収容可能な容器部と、が備えられているミキサーに関する。
【背景技術】
【０００２】
従来のミキサーが、例えば、特許文献１に開示されている。同文献に記載のミキサーでは、容器部が、底部開口を有する筒状のカップ本体と、動力源の動力により回転駆動されるカッター刃が設けられると共に螺着により底部開口を封止可能なカップ台と、を有している。この構造であれば、カップ本体とカップ台とを螺合解除して分離することにより、洗浄等のお手入れが行い易い。
【０００３】
また、このミキサーでは、本体部に対する容器部の螺合解除向きとカップ台に対するカップ本体の螺合解除向きとが同じ向きになるように構成されている。カップ台に対するカップ本体の螺着力を、本体部に対する容器部の螺着力よりも大きくなるようにしているため、通常は、本体部から容器部を取り外す際に、カップ本体とカップ台との間の螺合が緩むことはない。
【先行技術文献】
【特許文献】
【０００４】
【特許文献１】特開２０１３−１３５７３０号公報
【発明の概要】
【発明が解決しようとする課題】
【０００５】
しかし、上記従来の技術では、部品の寸法誤差や組み付け誤差等が大きい場合や劣化が進行した場合等に、カップ台に対するカップ本体の螺着力や本体部に対する容器部の螺着力が、想定とは異なるものになる可能性があった。
【０００６】
そのような場合、カップ本体を把持して本体部から容器部を取り外そうとすると、本体部から容器部が外れるより先に、カップ台とカップ本体との間の螺合が緩み、被調理物（内容物）の漏れに繋がるおそれがあった。
【０００７】
本発明は、斯かる現状の課題に鑑みてなされたものであり、本体部から容器部を取り外す際にカップ台に対するカップ本体の螺合の緩みにより被調理物が漏れ出ることを防止できるミキサーを提供することを目的とする。
【課題を解決するための手段】
【０００８】
本発明に係るミキサーは、動力源が収容される本体部と、前記本体部に螺着され、被調理物を収容可能な容器部と、が備えられ、前記容器部が、底部開口を有する筒状のカップ本体と、前記動力源の動力により回転軸周りに回転駆動されるカッター刃が設けられると共に螺着により前記底部開口を封止可能なカップ台と、を有し、前記本体部に対する前記容器部の螺合解除向きと前記カップ台に対する前記カップ本体の螺合解除向きとが同じ向きになるように構成され、前記容器部を前記本体部に螺着した状態で、前記カップ本体と前記カップ台とが相対回転しないように規制する規制部が備えられ、前記規制部に、前記カップ本体の底部に形成された切欠部と、前記切欠部に対して進退可能に構成されたロック部材と、前記切欠部に対して前記ロック部材を進退させるスイッチ機構と、が設けられたものである。
【０００９】
本発明に係るミキサーによれば、本体部から容器部を取り外す際の回動操作において、カップ台に対してカップ本体が相対回転することを防止できる。これにより、本体部から容器部を取り外す際にカップ台に対するカップ本体の螺合の緩みにより被調理物が漏れ出ることを効果的に防止できる。
【００１０】
本発明において、前記スイッチ機構に、前記ロック部材を前記切欠部へ進入させる側へ常時付勢する付勢部が設けられていると好適である。
【００１１】
本構成によれば、カップ本体をカップ台に螺合させたときに、付勢部の付勢力によりロック部材を自動的に切欠部に進入させることができる。これにより、規制部によるカップ本体のカップ台に対する回転規制が確実に実行され、意図せずにカップ本体とカップ台の螺合が緩むことをより確実に防止できる。
【００１２】
本発明において、前記スイッチ機構に、前記ロック部材を前記切欠部に進入させる位置である規制位置と、前記ロック部材を前記切欠部から退避させる位置である解除位置と、との間で変位可能であり、前記ロック部材に当接する変位部材が設けられ、前記変位部材に、前記カップ台より外部へ突出された押圧部が備えられ、前記押圧部が前記カップ台より外側に突出された状態において、前記変位部材が前記規制位置に配置されると好適である。
【００１３】
本構成によれば、押圧部の状態を確認することで、ユーザーが、規制部による容器部の規制状態を容易に確認することができる。これにより、ユーザーは、カップ本体がカップ台に対して規制されていることを確認した上で、本体部から容器部を取り外すことができ、意図せずにカップ本体とカップ台の螺合が緩むことを確実に防止できる。
【００１４】
本発明において、前記押圧部が前記カップ台の内側向きに押し込まれた状態において、前記変位部材が前記解除位置に配置されると好適である。
【００１５】
本構成によれば、ユーザーの意思によって、規制部による容器部の規制状態を容易に解除することができる。これにより、意図せずにカップ本体とカップ台の螺合が緩むことをより確実に防止できる。
【００１６】
本発明において、前記本体部に、前記変位部材を係止する係止部が備えられ、前記変位部材に、前記係止部により係止される被係止部を備えられ、前記本体部に前記容器部が螺合されたときに、前記係止部により前記被係止部が係止されると好適である。
【００１７】
本構成によれば、容器部を本体部に取り付けている状態では、規制部を解除できなくすることができる。これにより、意図せずにカップ本体とカップ台の螺合が緩むことをより確実に防止できる。
【００１８】
本発明において、前記変位部材に、前記ロック部材と当接する部位に形成されたカム部が備えられ、前記変位部材の変位に従って、前記ロック部材が前記カム部に沿って変位されると好適である。
【００１９】
本構成によれば、変位部材の少ないストロークでロック部材を切欠部に対して進退させることが可能になり、容器部を大型化することなく、カップ本体とカップ台の意図しない螺合の緩みを防止できる。
【００２０】
本発明において、前記カム部に、前記ロック部材と点接触あるいは線接触される突起部が設けられていると好適である。
【００２１】
本構成によれば、カム部にロック部材が引っ掛かって、規制部による規制が実行されなかったり、あるいは規制部を解除できなくなったりすることを防止できる。これにより、意図せずにカップ本体とカップ台の螺合が緩むことをより確実に防止できる。
【図面の簡単な説明】
【００２２】
【図１】本発明の一実施形態に係るミキサーの全体構成を示す正面図。
【図２】本発明の一実施形態に係るミキサーの全体構成を示す左側面図。
【図３】本発明の一実施形態に係るミキサーの全体構成を示す平面図。
【図４】本発明の一実施形態に係るミキサーの図２におけるＡ−Ａ矢視断面図。
【図５】カップ本体の下端部分を示す部分斜視図。
【図６】図４におけるＸ部分（規制部による規制状態）を示す部分拡大図。
【図７】図４におけるＸ部分（規制部の解除状態）を示す部分拡大図。
【図８】本発明の一実施形態に係るミキサーの図２におけるＢ−Ｂ矢視断面図。
【図９】図８におけるＹ部分（付勢部による付勢状態）を示す部分拡大図。
【図１０】規制部の別実施形態を示す部分模式図。
【図１１】本体部による規制部の係止状態を示す部分模式図。
【発明を実施するための形態】
【００２３】
次に、発明の実施の形態を説明する。尚、以下の説明では、図１〜図４および図８において矢印で示すように、ミキサーの上下方向を規定している。
【００２４】
（ミキサーの全体構成）
図１〜図４に示すミキサー１は、本発明に係るミキサーの一実施形態であり、本体部１０と容器部２０とを備えている。本体部１０は、容器部２０を着脱自在に支持する部位であるとともに、容器部２０を駆動する手段となる部位であり、卓上等の水平面に配置した状態で使用される。容器部２０は、ミキサー１による被調理物（果物、野菜等の食材）を収容可能な容器状の部位であり、本体部１０の上方に配置される。
【００２５】
（本体部）
図４に示すように、本体部１０は、容器部２０を下方より支持する部位であるとともに、容器部２０の刃支持部２３を駆動する駆動機構を備えるものであり、本体ケース１１と本体ケース１１に収容される動力源１２を備えている。
【００２６】
本体ケース１１は、本体部１０の外殻を構成する筐体であり、上端部には上向きの支持面１１ａが形成されている。支持面１１ａには、上方に向けて突出する係合部１１ｂが複数形成されている。また、支持面１１ａの軸心上には、孔部１１ｃが形成されている。そして、本体ケース１１は、その内部に例えば動力源１２を収容可能な空間が確保されている。
【００２７】
動力源１２は、ミキサー１の駆動源であり、例えば、モータで構成される。動力源１２では、モータブラケット１２ａに対して、コア１２ｂ、ロータ１２ｃ、駆動軸１２ｄ等が組み付けられている。動力源１２は、所謂両軸モータであり、コア１２ｂおよびロータ１２ｃを挟んで軸方向の両側に駆動軸１２ｄが突出されている。駆動軸１２ｄの頂部には、容器部２０側のカップリング（後述する上部カップリング２７）と係合する下部カップリング１７が組み付けられている。
【００２８】
動力源１２は、家庭用コンセント（図示せず）にプラグ１３（図１〜図３参照）を差し込むことで電源が供給され、本体部１０の外周面に配置されたスイッチ１４（図１〜図３参照）の操作によって、動力源１２のＯＮ−ＯＦＦやモード選択（回転数の変更）を行うことができるように構成されている。また、本体部１０は、本体ケース１１の下端において、複数の脚部１５を備えており、卓上等の水平面に配置可能に構成されている。
【００２９】
（容器部）
図１〜図４に示すように、容器部２０は、カップ本体２１とカップ台２２と刃支持部２３とを備えている。カップ本体２１は、略円筒状の部位であり、カップ台２２と刃支持部２３によって下端部を封止することによって、被調理物を収容可能なカップ本体状に構成される。カップ台２２は、略円筒状の部位であり、容器部２０の下部を構成し、容器部２０を本体部１０に連結可能とする部位である。刃支持部２３は、カップ本体２１の底部を封止するとともに、カップ本体２１の内部において、動力源１２の動力により回転軸周りに回転駆動されるカッター刃２４を支持する部位であり、カップ本体２１とカップ台２２によって挟持されている。
【００３０】
カップ本体２１は、略円筒状の部位である側周部２１ａと、側周部２１ａの下端に連続する底部２１ｂを備えている。筒状のカップ本体２１は、底部２１ｂの中心において、カップ本体２１の下端側の開口となる底部開口２１ｃを有している。また、カップ本体２１は、底部開口２１ｃの周縁部２１ｄがさらに下端側に向けて延設されており、周縁部２１ｄの周囲に雄ネジ２１ｅが形成されている。カップ本体２１の内面には、底部２１ｂから側周部２１ａに至る範囲で連続してカップ本体２１の径方向内側へ突出する突出部であるリブ部２１ｆが形成されている。リブ部２１ｆは、底部２１ｂから離間するほど、側周部２１ａ内面からの高さおよび幅が小さくなる形状となっている。また、カップ本体２１は、外周面において取手２１ｇを備えており、食材を投入するための上端開口は蓋２１ｈによって封止可能に構成されている。
【００３１】
そして、図４に示すように、カップ本体２１は、周縁部２１ｄの下端において、周縁部２１ｄの一部を切り欠いた部位である切欠部２８が形成されている。切欠部２８は、カップ本体２１の下端側に向けて開放されている部位であり、カップ台２２に付設された規制部３０（より詳しくは、後述するロック部材３１）に対応する位置に形成されている。
【００３２】
カップ台２２は、動力源１２の動力により回転軸２６周りに回転駆動されるカッター刃２４が設けられると共に螺着により底部開口２１ｃを封止可能となっている。また、カップ台２２は、略円筒状の部材により構成され、その円筒の内部において、軸心方向に垂直な支持面を備えた支持部２２ａが形成されている。また、カップ台２２は、支持部２２ａの軸心上に孔部２２ｂが形成されている。そして、カップ台２２の内周面には、雌ネジ２２ｃが形成されている。
【００３３】
そして、カップ本体２１とカップ台２２は、カップ本体２１の雄ネジ２１ｅとカップ台２２の雌ネジ２２ｃを螺合して、一体の容器部２０を構成する。
【００３４】
そして、支持部２２ａには、カップ本体２１とカップ台２２を螺合した状態で切欠部２８の下方にあたる位置において、挿通孔２２ｄが形成されている。挿通孔２２ｄは、後述するロック部材３１を挿通するための孔部である。
【００３５】
また、カップ台２２は、係合部１１ｂに係合する部位である凹部２２ｆを備えている。凹部２２ｆは、本体部１０の上面に形成された係合部１１ｂと互いに係合しあうように内部をかぎ状にへこませた部位であり、本体ケース１１に設けられた係合部１１ｂに対応する位置に、対応する個数だけ形成されている。
【００３６】
本体部１０とカップ台２２は、図４および図６に示すように、支持面１１ａの所定位置にカップ台２２を位置決めして配置した後に、カップ台２２を平面視（図３参照）における時計回りに回転させることによって、本体部１０側の係合部１１ｂとカップ台２２側の凹部２２ｆが嵌りあって係合されるように構成している。
【００３７】
図４に示すように、刃支持部２３は、カッター刃２４と軸受ケース２５と回転軸２６と上部カップリング２７を備えている。刃支持部２３は、カップ本体２１の内部で回転するカッター刃２４を回転可能に支持する部位である。
【００３８】
軸受ケース２５は、回転軸２６を回転自在に支持する部位であり、カップ本体２１の底部開口２１ｃの内径に対応する略円柱状の基台部２５ａと、基台部２５ａの中心軸上に形成された略円柱状の軸受部２５ｂと、基台部２５ａから径方向外側に拡径された拡径部２５ｃを備えている。
【００３９】
回転軸２６は、軸受部２５ｂにおいて、軸受部材２５ｄを介して、軸受ケース２５の中心軸上で回転可能に支持されている。回転軸２６の上端部には、カッター刃２４が固定されており、回転軸２６の下端部には、上部カップリング２７が固定されている。
【００４０】
ミキサー１は、本体部１０に対して容器部２０を載置している状態から、容器部２０を平面視（図３参照）における時計回りに回転させることで、係合部１１ｂと凹部２２ｆが係合し合ってロックされ、容器部２０が本体部１０上の所定位置に配置される。なお、このときの容器部２０の所定位置は、ミキサー１を使用できる位置であり、以下ではロック位置と呼ぶ。
【００４１】
また、ミキサー１は、調理が終了し、本体部１０から容器部２０を取り外す場合には、容器部２０を平面視（図３参照）における反時計回りに回転させて、容器部２０をロック位置から載置位置に回転させる。
【００４２】
ミキサー１の容器部２０は、平面視（図３参照）において、カップ台２２に対してカップ本体２１を反時計回りに回転させることで、カップ台２２に対するカップ本体２１の螺合が緩むように構成されており、これらの螺合解除向きと、容器部２０をロック位置から載置位置に回転させるときの容器部２０の回転向きとは一致している。説明を加えると、本体部１０に対する容器部２０の螺合解除向きとカップ台２２に対するカップ本体２１の螺合解除向きとが同じ向きになるように構成されている。このため、ミキサー１では、ユーザーが容器部２０をロック位置から載置位置に回転させる操作を行ったときに、その操作力がカップ本体２１とカップ台２２の螺合を緩ませることに費やされる可能性がある。
【００４３】
しかしながら、ミキサー１では、容器部２０がロック位置から載置位置に回転される間においても、規制部３０によってカップ本体２１の回転が規制されるため、カップ本体２１とカップ台２２の螺合が緩むことがない。
【００４４】
（規制部）
図４および図６に示すように、容器部２０は、カップ台２２において、規制部３０を備えている。規制部３０は、カップ台２２に対して螺合されているカップ本体２１について、螺合の緩みを規制するための部位であり、ロック部材３１とスイッチ機構４０を備えている。規制部３０は、本体部１０から容器部２０を取り外す際に、カップ本体２１とカップ台２２との螺着が緩まないようにするための機構を構成している。
【００４５】
（ロック部材）
図６に示すように、ロック部材３１は略円柱状の部材からなり、ボス部３１ａ、軸部３１ｂ、孔部３１ｃ等が形成されている。ボス部３１ａは、ロック部材３１の上部を構成しており、切欠部２８に対して進退（抜き差し）される部位である。軸部３１ｂは、ボス部３１ａの下方に位置する軸状の部位であり、ホルダー部４２の後述する孔部４２ａにおいて、孔部４２ａの軸方向（上下方向）に変位可能に挿通されている。孔部３１ｃは、軸部３１ｂを直径方向に横断するように形成された孔状の部位であり、孔部３１ｃの内周上面の一部には上面傾斜部３１ｄが形成され、孔部３１ｃの内周下面の一部には下面傾斜部３１ｅが形成されている。
そして、孔部３１ｃには、スイッチ機構４０の変位部材４１に形成された後述するカム部４１ｃが挿通される。そして、ロック部材３１は、挿通孔２２ｄに挿通され、ボス部３１ａが支持部２２ａの上面より突出された状態で、上下方向に変位可能に構成されている。
【００４６】
（スイッチ機構）
スイッチ機構４０は、ロック部材３１を切欠部２８に対して進退させる機構を構成するものであり、変位部材４１、ホルダー部４２、付勢部４３等を備えている。
【００４７】
（変位部材）
変位部材４１は、その変位に伴ってロック部材３１を押圧し、ロック部材３１を切欠部２８に対して進退させるための部位を構成しており、本体部４１ａ、押圧部４１ｂ、カム部４１ｃ等が形成されている。本体部４１ａは、カップ台２２とホルダー部４２の間に形成される溝状の隙間において、左右方向にスライド可能に配置されている。そして、変位部材４１は、ロック部材３１を切欠部２８に進入させる位置に押圧する規制位置Ｐ１と、ロック部材３１を切欠部２８から退避させる位置に押圧する解除位置Ｐ２との間で変位可能に構成されている。
【００４８】
押圧部４１ｂは、本体部４１ａより突設された円柱軸状の部位であり、カップ台２２に形成された挿通孔２２ｅに挿通されるとともに、挿通孔２２ｅを通じてカップ台２２より外部に突出されている。なお、押圧部４１ｂは、本体部１０から容器部２０を取り外す際の操作が不自然にならないように、ミキサー１における右側に配置された取手２１ｇに相対するように、カップ台２２の左側側面に配置されている。
【００４９】
カム部４１ｃは、本体部４１ａより押圧部４１ｂの突出方向に対して略平行に突出された部位であり、カム部４１ｃの上面には上面傾斜部４１ｄが形成され、カム部４１ｃの下面には下面傾斜部４１ｅが形成されている。カム部４１ｃの下面傾斜部４１ｅには、突起部４１ｆが形成されている。そして、カム部４１ｃは、ロック部材３１の孔部３１ｃに挿通されている。
【００５０】
カム部４１ｃは、本体部４１ａがカップ台２２の内側から外側（即ち、右側から左側）に向けて変位するとき、上面傾斜部４１ｄがロック部材３１の上面傾斜部３１ｄを押圧することで、互いの傾斜に沿ってロック部材３１が上方へ変位されるように構成している。また、カム部４１ｃは、本体部４１ａがカップ台２２の外側から内側（即ち、左側から右側）に向けて変位するとき、下面傾斜部４１ｅがロック部材３１の下面傾斜部３１ｅを押圧することで、互いの傾斜に沿ってロック部材３１が下方へ変位されるように構成している。
【００５１】
即ち、ミキサー１において、変位部材４１には、ロック部材３１と当接する部位にカム部４１ｃが形成されており、変位部材４１の変位に従って、ロック部材３１がカム部４１ｃに沿って変位されるように構成されている。このような構成によれば、変位部材４１の少ないストロークでロック部材３１を変位させることが可能になり、ミキサー１を大型化することなく、カップ本体２１とカップ台２２の意図しない螺合の緩みを防止することができる。
【００５２】
ホルダー部４２は、変位部材４１をカップ台２２に対してスライド可能に支持する部位を構成するものであり、ビス３５によって、カップ台２２に固定されている。ホルダー部４２には、ロック部材３１の軸部３１ｂを挿通可能な孔部４２ａが形成されている。
【００５３】
図９に示すように、規制部３０は、付勢部４３を備えている。ミキサー１における付勢部４３は、バネ部材（コイルバネ）４３ａにより構成されている。付勢部４３たるバネ部材４３ａは、定常長さより押し縮められた状態で変位部材４１のバネ保持部４１ｇとカップ台２２の間に介設されている。このため、変位部材４１は、付勢部４３により、外向き（カップ台２２より外側へ突出する向き）に変位されるバネ力が常時付勢されている。
【００５４】
即ち、ミキサー１において、スイッチ機構４０には、ロック部材３１を切欠部２８に進入させる位置である規制位置Ｐ１と、ロック部材３１を切欠部２８から退避させる位置である解除位置Ｐ２と、との間で変位可能な変位部材４１が設けられている。変位部材４１には、カップ台２２より外部へ突出する押圧部４１ｂが備えられており、押圧部４１ｂがカップ台２２より外側に突出された状態において、変位部材４１が規制位置Ｐ１に配置されるものである。このような構成のミキサー１では、押圧部４１ｂの状態を確認することで、ユーザーが、規制部３０による容器部２０の規制状態を容易に確認することができる。これにより、ユーザーは、カップ本体２１がカップ台２２に対して規制されていることを確認した上で、本体部１０から容器部２０を取り外すことができ、意図せずにカップ本体２１とカップ台２２の螺合が緩むことを確実に防止することができる。
【００５５】
また、ミキサー１のスイッチ機構４０においては、押圧部４１ｂがカップ台２２の内側向きに押し込まれた状態において、変位部材４１が解除位置Ｐ２に配置されるものである。このような構成のミキサー１では、ユーザーの意思によって、規制部３０による容器部２０の規制状態を容易に解除することができる。これにより、意図せずにカップ本体２１とカップ台２２の螺合が緩むことをより確実に防止することができる。
【００５６】
（規制部の動作）
図４および図６に示すように、カップ本体２１の雄ネジ２１ｅとカップ台２２の雌ネジ２２ｃとを螺合させて、容器部２０を一体に構成したとき、カップ本体２１の下端に形成された切欠部２８には、付勢部４３の付勢力によって、ロック部材３１のボス部３１ａが差し込まれる。このとき、カップ本体２１とカップ台２２とは、規制部３０により、相対回転不能にロックされている。
【００５７】
即ち、ミキサー１では、スイッチ機構４０に、ロック部材３１を切欠部２８へ進入させる側へ常時付勢する付勢部４３を設けている。このような構成のミキサー１では、カップ本体２１をカップ台２２に螺合させたときに、付勢部４３の付勢力によりロック部材３１を自動的に切欠部２８に進入させることができる。これにより、規制部３０によるカップ本体２１の規制が確実に実行され、意図せずにカップ本体２１とカップ台２２の螺合が緩むことをより確実に防止することができる。
【００５８】
この状態から、図７に示すように、スイッチ機構４０を操作し、変位部材４１の押圧部４１ｂを押し込むと、変位部材４１が、付勢部４３のバネ力に抗してカップ台２２の内側へと変位する。このとき、変位部材４１のカム部４１ｃによって、ロック部材３１の下面傾斜部３１ｅが押圧され、ロック部材３１が下方へ変位される。このように規制部３０では、カム部４１ｃと下面傾斜部３１ｅによって、変位部材４１の右方向への変位が、ロック部材３１の下方向への変位に変換される。
【００５９】
そして、ロック部材３１が下方に変位し、ボス部３１ａが切欠部２８から退避されることで規制部３０が解除され、これにより、カップ本体２１とカップ台２２とが相対回転可能な状態となる。
【００６０】
また、規制部３０では、カム部４１ｃにおいて突起部４１ｆが形成されており、変位部材４１のカム部４１ｃと下面傾斜部３１ｅとが点接触あるいは線接触するように構成されている。仮に、変位部材４１とロック部材３１とを面接触させる構成では、変位部材４１とロック部材３１との間の摩擦力が大きくなるために引っかかりやすく、変位部材４１の横方向の変位に応じてロック部材３１が上下方向に変位されない可能性が高まる。規制部３０では、カム部４１ｃに突起部４１ｆを設け、カム部４１ｃと下面傾斜部３１ｅとを点接触あるいは線接触させることで、変位部材４１とロック部材３１との間で生じる摩擦力を低減させている。これにより、規制部３０では、変位部材４１とロック部材３１との引っかかりを抑制することができ、変位部材４１の横方向の変位に応じてロック部材３１が確実に上下方向に変位される。
【００６１】
即ち、ミキサー１では、カム部４１ｃに、ロック部材３１と点接触あるいは線接触される突起部４１ｆを設けている。このような構成のミキサー１では、カム部４１ｃにロック部材３１が引っ掛かって、規制部３０が不作動となることを防止することができ、これにより、意図せずにカップ本体２１とカップ台２２の螺合が緩むことをより確実に防止することができる。
【００６２】
そして、このような構成のミキサー１では、カップ本体２１とカップ台２２とを完全に螺合させたときに、スイッチ機構４０によって、自動的に規制部３０による規制が行われることで、本体部１０から容器部２０を取り外す際に、意図せずにカップ本体２１とカップ台２２との螺合が緩んでしまうことがない。また、このような構成のミキサー１では、スイッチ機構４０の押圧部６１ｂを押圧しながらでなければ、カップ本体２１とカップ台２２との螺合を緩めることができないため、螺合の緩みが意図せずに生じることがない。つまり、このような構成のミキサー１では、容器部２０を本体部１０から外すときに、カップ本体２１とカップ台２２との螺合が意図せずに緩んでしまうことがなく、ミキサー１を用いた調理を安心して行うことができる。
【００６３】
即ち、本実施形態で示したミキサー１は、動力源１２が収容される本体部１０と、本体部１０に螺着され、被調理物を収容可能な容器部２０と、が備えられ、容器部２０が、底部開口２１ｃを有する筒状のカップ本体２１と、動力源１２の動力により回転軸２６周りに回転駆動されるカッター刃２４が設けられると共に螺着により底部開口２１ｃを封止可能なカップ台２２と、を有し、本体部１０に対する容器部２０の螺合解除向きとカップ台２２に対するカップ本体２１の螺合解除向きとが同じ向きになるように構成されている。ミキサー１には、容器部２０を本体部１０に螺着した状態で、カップ本体２１とカップ台２２とが相対回転しないように規制する規制部３０が備えられており、規制部３０に、カップ本体２１の底部に形成された切欠部２８と、切欠部２８に対して進退可能に構成されたロック部材３１と、切欠部２８に対してロック部材３１を進退させるスイッチ機構４０と、を設けたものである。このような構成のミキサー１によれば、本体部１０から容器部２０を取り外す際の回動操作において、カップ台２２に対してカップ本体２１が相対回転することを防止できる。これにより、本体部１０から容器部２０を取り外す際にカップ台２２に対するカップ本体２１の螺合の緩みにより被調理物が漏れ出ることが効果的に防止できる。
【００６４】
（規制部の別実施形態）
図１０および図１１には、ミキサー１を構成する規制部の別実施形態である規制部５０を示している。ミキサー１は、前述した規制部３０に代えて、規制部５０を備える構成としてもよい。
【００６５】
図１０および図１１に示すように、容器部２０は、カップ台２２において、規制部５０を備えている。規制部５０は、カップ台２２に対して螺合されているカップ本体２１について、螺合の緩みを規制するための部位であり、ロック部材５１、スイッチ機構６０等を備えている。規制部５０は、本体部１０から容器部２０を取り外す際に、カップ本体２１とカップ台２２との螺着が緩まないようにするための機構を構成している。
【００６６】
ロック部材５１は略円柱状の部材からなり、ボス部５１ａ、軸部５１ｂ等が形成されている。ボス部５１ａは、ロック部材５１の上部を構成しており、切欠部２８に対して抜き差しされる部位である。軸部５１ｂは、ボス部５１ａの下方に位置する軸状の部位であり、ホルダー部５２により保持されている。そして、ロック部材５１は、挿通孔２２ｄに挿通され、ボス部５１ａが支持部２２ａの上面より突出された状態で、上下方向に変位可能に構成されている。
【００６７】
ホルダー部５２は、ロック部材５１を保持する部位であり、後述する変位部材６１に当接する部位である当接部５２ａが形成されている。当接部５２ａは、後述する変位部材６１のカム部６１ｃに対して略平行な傾斜面である。
【００６８】
（スイッチ機構）
スイッチ機構６０は、ロック部材５１を切欠部２８に対して進退させる機構を構成するものであり、変位部材６１を備えている。
【００６９】
（変位部材）
変位部材６１は、その変位に伴ってロック部材５１を押圧し、ロック部材５１を切欠部２８に対して進退させるための部位を構成しており、本体部６１ａ、押圧部６１ｂ、カム部６１ｃ等が形成されている。本体部６１ａは、カップ台２２において、左右方向にスライド可能に配置されている。変位部材６１は、ロック部材５１を切欠部２８に進入させる位置に押圧する規制位置Ｐ１と、ロック部材５１を切欠部２８から退避させる位置に押圧する解除位置Ｐ２との間で変位可能である。
【００７０】
押圧部６１ｂは、本体部６１ａより突設された円柱軸状の部位であり、カップ台２２に形成された挿通孔２２ｅに挿通されるとともに、挿通孔２２ｅを通じてカップ台２２より外部に突出されている。
【００７１】
カム部６１ｃは、本体部６１ａの押圧部６１ｂに対する反対側の端部に形成された傾斜面であり、カム部６１ｃには突起部６１ｄが形成されている。カム部６１ｃは、本体部６１ａがカップ台２２の外側から内側（即ち、左側から右側）に向けて変位するとき、突起部６１ｄがホルダー部５２の傾斜面たる当接部５２ａを押圧することで、互いの傾斜に沿ってロック部材５１が下方へ変位されるように構成している。
【００７２】
なお、図示を省略しているが、規制部５０はバネ部材等からなる付勢部を備えており、ロック部材５１は、付勢部によって、ボス部５１ａを切欠部２８に進入させる側へ変位するように常時付勢されている。この結果、変位部材６１には、ホルダー部５２の当接部５２ａによって突起部６１ｄおよびカム部６１ｃが押圧され、カップ台２２の内側から外側（即ち、右側から左側）へと変位する方向へのバネ力が常時付勢されている。
【００７３】
（規制部の動作）
規制部５０により、カップ本体２１とカップ台２２とが相対回転不能にロックされている状態から、図１０上図のようにスイッチ機構６０を操作して、変位部材６１の押圧部６１ｂを押し込むと、図１０下図のように変位部材６１がカップ台２２の内側へと変位する。なお、図１０上図において、変位部材６１は、規制位置Ｐ１に配置されており、図１０下図において、変位部材６１は、解除位置Ｐ２に配置されている。
【００７４】
このとき、変位部材６１のカム部６１ｃによって、ホルダー部５２の当接部５２ａが押圧され、これにより、互いの傾斜に沿ってロック部材５１が下方へ変位される。即ち、規制部５０では、カム部６１ｃと当接部５２ａによって、変位部材６１の右方向への変位が、ロック部材５１の下方向への変位に変換される。
【００７５】
そして、ロック部材５１が下方に変位し、ボス部５１ａが切欠部２８から退避されることで規制部５０が解除され、これにより、カップ本体２１とカップ台２２とが相対回転可能な状態となる。
【００７６】
また、変位部材６１におけるカム部６１ｃには突起部６１ｄが形成されており、変位部材６１の突起部６１ｄと当接部５２ａとが点接触あるいは線接触するように構成されている。これにより、規制部５０では、変位部材６１とロック部材５１（詳しくは、ホルダー部５２）との引っかかりを抑制することができ、変位部材６１の横方向の変位に応じてロック部材５１が確実に上下方向に変位される。
【００７７】
（本体部による規制部の規制）
図１１に示すように、規制部５０を構成する変位部材６１の本体部６１ａには、凹部である被係止部６１ｅが形成されている。ミキサー１では、本体部１０に対して容器部２０を載置している状態から、容器部２０を平面視（図３参照）における時計回りに回転させ、係合部１１ｂと凹部２２ｆが係合し合ってロックされた状態（即ち、容器部２０が本体部１０上の所定位置に配置された状態）で、規制部５０における被係止部６１ｅに、本体部１０の係合部１１ｂに設けた係止部１１ｅが進入されるように構成している。
【００７８】
規制部５０は、被係止部６１ｅに係止部１１ｅが進入されている状態では、押圧部６１ｂを押圧して、本体部６１ａを押し込むことができなくなっている。つまり、規制部５０を備えたミキサー１では、容器部２０が本体部１０の所定の使用位置に配置されている状態では、規制部５０を解除することができないように構成されている。
【００７９】
このため、規制部５０を備えたミキサー１では、容器部２０が本体部１０の所定位置に配置されている状態においては、カップ本体２１とカップ台２２とが相対回転不能な状態が継続され、そして容器部２０を本体部１０から外した状態でのみ、規制部５０を解除できるように構成されている。つまり、このような構成のミキサー１では、容器部２０を本体部１０から外すときに、カップ本体２１とカップ台２２との螺合が意図せずに緩んでしまうことがなく、ミキサー１を用いた調理を安心して行うことができる。
【００８０】
即ち、ミキサー１において、本体部１０には、変位部材６１を係止する係止部１１ｅが設けられるとともに、変位部材６１には、係止部１１ｅにより係止される被係止部６１ｅが設けられている。そして、本体部１０に容器部２０を螺合させたときに、係止部１１ｅにより被係止部６１ｅが係止されるように構成されている。このような構成のミキサー１では、容器部２０を本体部１０のロック位置に取り付けている状態では、規制部５０を解除できなくすることができ、これにより、意図せずにカップ本体２１とカップ台２２の螺合が緩むことをより確実に防止することができる。
【００８１】
なお、規制部５０を備えたミキサー１では、変位部材６１の変位が本体部１０の係止部１１ｅで規制されている状態において、ロック部材５１は単独で上下方向に変位することが可能である。このため、本体部１０に対して先にカップ台２２を取り付けておき、そのカップ台２２に対してカップ本体２１を取り付ける手順により、容器部２０を本体部１０に取り付けることも可能である。
【符号の説明】
【００８２】
１            ：ミキサー
１０          ：本体部
１１ｅ        ：係止部
１２          ：動力源
２０          ：容器部
２１          ：カップ本体
２１ｂ        ：底部
２１ｃ        ：底部開口
２２          ：カップ台
２４          ：カッター刃
２６          ：回転軸
２８          ：切欠部
３０          ：規制部
３１          ：ロック部材
４０          ：スイッチ機構
４１          ：変位部材
４１ｂ        ：押圧部
４１ｃ        ：カム部
４１ｄ        ：突起部
４３          ：付勢部
５０          ：規制部（別実施形態）
５１          ：ロック部材
６０          ：スイッチ機構
６１          ：変位部材
６１ｃ        ：カム部
６１ｄ        ：突起部
６１ｅ        ：被係止部
Ｐ１          ：規制位置
Ｐ２          ：解除位置
【図１】
2020174916.tif 000003
【図２】
2020174916.tif 000004
【図３】
2020174916.tif 000005
【図４】
2020174916.tif 000006
【図５】
2020174916.tif 000007
【図６】
2020174916.tif 000008
【図７】
2020174916.tif 000009
【図８】
2020174916.tif 000010
【図９】
2020174916.tif 000011
【図１０】
2020174916.tif 000012
【図１１】
2020174916.tif 000013